(57)【要約】      （修正有）【課題】偏心柱金属パイプを曲げ加工することによって一体的に成形され、組立による縫い目や溶接による構造上の欠点を回避できるだけでなく、構造全体の強度を大幅に向上させ、耐用年数を延ばし、実用性を高めることができる、腰ねじり用フィットネス機器の偏心柱構造を提供する。【解決手段】腰ねじり用フィットネス機器の偏心柱構造は、台座１０、シートクッション２０、および前記台座とシートクッションの間に組み立てられた偏心柱３０を含み、前記シートクッションは、台座の上方に前記偏心柱によって支持され、このシートクッションは普通の大人の膝の高さよりも少し高くなるように設定され、より快適で人間工学に基づいた姿勢で乗ることができ、足を使って地面を踏んで力点となり、腰を振ったりねじったりするなどのフィットネス運動を行うことができる。【選択図】図２
0003234157.tif 000002
【実用新案登録請求の範囲】
【請求項１】
台座、シートクッション、および前記台座と前記シートクッションの間に組み立てられた偏心柱を含む腰ねじり用フィットネス機器の偏心柱構造であって、
前記偏心柱は、２本の直線ロッド部および曲げ部が一体的に成形されており、２本の直線ロッド部は同一直線上に位置せずに前記曲げ部によって接続され、２本の直線ロッド部の端部の直径が縮小して接続セグメントを形成し、前記接続セグメントによって前記台座とシートクッションを接続し、さらに前記偏心柱を介して前記シートクッションが前記台座の上方に偏心スイング効果を生み出す、ことを特徴とする腰ねじり用フィットネス機器の偏心柱構造。
【請求項２】
前記台座に前記偏心柱の一端が接続されるための係合穴が設けられ、前記係合穴の内に少なくとも１つのベアリングピースが設けられ、前記台座に前記係合穴に面するカバーが固定され、前記カバーに軸貫通穴が設けられ、前記シートクッションの底部に前記偏心柱の他端が接続されるための結合穴が設けられ、前記結合穴の内に少なくとも１つのベアリングピースが設けられ、前記シートクッションに前記結合穴に面するカバーが固定され、前記カバーに軸貫通穴が設けられる、
ことを特徴とする請求項１に記載の腰ねじり用フィットネス機器の偏心柱構造。
【請求項３】
前記台座の係合穴は前記台座の中央に位置し、前記係合穴の内に２つの前記ベアリングピースが設けられ、前記偏心柱の前記直線ロッド部は前記カバーの軸貫通穴を通過し、端部の接続セグメントによって前記係合穴内のベアリングピースに接続され、前記カバーを介してベアリングピースおよび接続セグメントを保護する目的を達成する、
ことを特徴とする請求項２に記載の腰ねじり用フィットネス機器の偏心柱構造。
【請求項４】
前記シートクッションの結合穴内に２つの前記ベアリングピースが設けられ、偏心柱の別の前記直線ロッド部は前記カバーの軸貫通穴を通過し、端部の接続セグメントによって前記結合穴内のベアリングピースに接続され、前記カバーを介してベアリングピースおよび接続セグメントを保護する目的を達成する、
ことを特徴とする請求項２に記載の腰ねじり用フィットネス機器の偏心柱構造。
【考案の詳細な説明】
【技術分野】
【０００１】
本考案は、フィットネス機器に関し、特に、腰ねじり用フィットネス機器の偏心柱構造に関する。
【背景技術】
【０００２】
従来、腰ねじり用フィットネス機器が知られている。図７に示すように、この腰フィットネス機器４０は台座４１を含み、該台座４１の下方に４本の短いロッド４１１が接続されて地面に支持され、上方の中央にクランク４２が延伸してシートクッション４３が枢動可能に接続され、ユーザは該シートクッション４３に乗り、前記クランク４２は斜めの管形状であり、その一端がシャフトコラム４２１に垂直に固設され、他端に立設管４２２が溶接され、該台座４１に、前記クランク４２のシャフトコラム４２１が回転可能に挿通結合されるようにパイプコラム４１２が設けられ、該シートクッション４３の底部に、挿通柱４３１が該クランク４２の立設管４２２に挿通されることで、該クランク４２によって、該シートクッション４３がその上で回転したりねじったりして、ユーザの腰と腹を動かすことができるように、該台座４１と接続される。
【０００３】
上記の従来の構造を注意深く見ると、まだいくつかの欠点があり、その主な理由は以下のとおりである。上記従来の構造のクランク４２は、その両端に溶接または組立によって該シャフトコラム４２１および該立設管４２２が設けられ、該クランク４２の加工ステップおよびそのコストを増加させるだけでなく、シャフトコラム４２１および立設管４２２と該クランク４２の溶接箇所はまた、該クランク４２の強度の弱点になり、該クランク４２の支持効果を大幅に減少させ、該腰ねじり用フィットネス機器は、腰ねじりフィットネスの作用下でクランク４２の縫い目から容易に破損または変形し、構造の安定性が低く、使用上の安全性に問題がある。
そのため、本出願者は長年にわたり関連商品の製作・開発・設計に携わっており、上記の目標を細かく設計・慎重に評価した結果、実用化され得る本考案に至った。
【考案の概要】
【考案が解決しようとする課題】
【０００４】
本考案が解決しようとする技術的課題は、従来技術における上記欠点を解決することができる、腰ねじり用フィットネス機器の偏心柱構造を提供することである。
【課題を解決するための手段】
【０００５】
上記腰ねじり用フィットネス機器の偏心柱構造は、台座、シートクッション、および該台座と該シートクッションの間に組み立てられた偏心柱を含み、該偏心柱は２本の直線ロッド部および曲げ部が一体的に成形されており、前記２本の直線ロッド部は同一直線上に位置せずに前記曲げ部によって接続され、２本の直線ロッド部の端部の直径が縮小して接続セグメントを形成し、この接続セグメントによって、台座とシートクッションを接続し、そして前記偏心柱を介して前記シートクッションが前記台座上方に偏心スイング効果を生み出すことを特徴とする。
【０００６】
前記台座に前記偏心柱の一端が接続されるための係合穴が設けられ、前記係合穴の内に少なくとも１つのベアリングピースが設けられ、前記台座に前記係合穴に面するカバーがさらに固定され、前記カバーに軸貫通穴が設けられ、前記シートクッションの底部に前記偏心柱の他端が接続されるための結合穴が設けられ、前記結合穴の内に少なくとも１つのベアリングピースが設けられ、前記シートクッションに前記結合穴に面するカバーがさらに固定され、前記カバーに軸貫通穴が設けられる。
【０００７】
好ましくは、前記台座の係合穴は前記台座の中央に位置し、前記係合穴の内に２つの前記ベアリングピースが設けられ、前記偏心柱の前記直線ロッド部は前記カバーの軸貫通穴を通過し、端部の接続セグメントによって前記係合穴内のベアリングピースに接続され、前記カバーを介してベアリングピースおよび接続セグメントを保護する目的を達成する。
【０００８】
好ましくは、前記シートクッションの結合穴内に２つの前記ベアリングピースが設けられ、偏心柱の別の前記直線ロッド部は前記カバーの軸貫通穴を通過し、端部の接続セグメントによって前記結合穴内のベアリングピースに接続され、前記カバーを介してベアリングピースおよび接続セグメントを保護する目的を達成する。
【考案の効果】
【０００９】
従来技術と比べると、本考案は以下の有益な効果を有する。本考案の腰ねじりフィットネスのシートクッションは、普通の大人の膝の高さよりも高くなるように、前記偏心柱によって支持され、より快適で人間工学に基づいた姿勢で乗ることができ、足を使って地面を踏んで力点となり、腰を振ったりねじったりするなどのフィットネス運動を行い、また、前記偏心柱は、金属パイプを曲げ加工することによって一体的に成形され、組立による縫い目や溶接による構造上の欠点を回避できるだけでなく、構造全体の強度を大幅に向上させ、耐用年数を延ばし、実用性を高めることができる。
【図面の簡単な説明】
【００１０】
【図１】本考案の斜視図である。
【図２】本考案の分解図である。
【図３】本考案の組立断面図である。
【図４】本考案の円の周りにスイング作動の概略図である。
【図５】本考案のユーザが座って腰をねじったりスイングしたりする概略図(その１)である。
【図６】本考案のユーザが座って腰をねじったりスイングしたりする概略図(その２)である。
【図７】従来機器の概略図である。
【考案を実施するための形態】
【００１１】
以下、本考案の目的、特徴および効果をより明確に理解できるようにするために、図面を参照して本考案を詳細に説明する。
まず、図１〜図３を参照されたい。そこに示されているように、腰ねじり用フィットネス機器の偏心柱構造は、台座１０、シートクッション２０、および前記台座１０と前記シートクッション２０間に組み立てられた偏心柱３０を含み、前記台座１０の中央に前記偏心柱３０の一端が接続されるための係合穴１１が設けられ、前記係合穴１１の内に２つのベアリングピース１２が嵌設され、前記台座１０に前記係合穴１１に面するカバー１３がさらに固定され、前記カバー１３に軸貫通穴１３１が設けられ、前記軸貫通穴１３１の直径は係合穴１１の直径よりも大きく、前記シートクッション２０の底部に前記偏心柱３０の他端が接続されるための結合穴２１が設けられ、前記結合穴２１の内に２つのベアリングピース２２が嵌設され、前記シートクッション２０に前記結合穴２１に面するカバー２３が固定され、前記カバー２３に軸貫通穴２３１が設けられ、前記軸貫通穴２３１の直径は結合穴２１の直径よりも大きく、前記偏心柱３０は、２本の直線ロッド部３１および曲げ部３２が一体的に成形されており、２本の直線ロッド部３１は同一直線上に位置せずに前記曲げ部３２によって接続され、２本の直線ロッド部３１の端部は直径が縮小して接続セグメント３１１を形成し、前記接続セグメント３１１によって前記台座１０とシートクッション２０を接続し、前記偏心柱３０の前記直線ロッド部３１は前記カバー１３の軸貫通穴１３１を通過し、端部の接続セグメント３１１によって前記係合穴１１内部のベアリングピース１２に接続され、前記カバー１３を介してベアリングピース１２および前記偏心柱３０の下段の接続セグメント３１１を保護する目的を達成し、汚れがベアリングピース１２内に落下したり、静止または回転状態でベアリングピース１２に接触したりするのを防止し、前記偏心柱３０の前記台座１０上のスムーズな回転を確保するとともに、潤滑油に触れたり怪我したりするのを防ぎ、前記偏心柱３０の別の前記直線ロッド部３１も前記カバー２３の軸貫通穴２３１を通過し、端部の接続セグメント３１１によって前記結合穴２１内部のベアリングピース２２に接続され、前記カバー２３を介してベアリングピース２２および前記偏心柱３０の上段の接続セグメント３１１を保護する目的を達成し、汚れがベアリングピース２２内に落下したり、静止または回転状態でベアリングピース２２に接触したりするのを防止し、前記シートクッション２０の前記偏心柱３０上のスムーズな回転を確保するとともに、潤滑油に触れたり怪我したりするのを防ぎ、前記偏心柱３０が前記台座１０と前記シートクッション２０間に接続され、前記偏心柱３０を介して前記シートクッション２０が前記台座１０の上方に偏心スイング効果を生み出す。
【００１２】
その構造の実際の使用状態については、引き続き図３〜図６を参照されたい。そこに示されているように、前記腰ねじり用フィットネス機器は、ユーザが乗るためのシートクッション２０を含み、前記偏心柱３０および前記台座１０によってユーザの体重を支持し、前記シートクッション２０は普通の大人の膝の高さよりも少し高くなるように前記偏心柱３０によって支持されるため、ユーザが座ると足が自然に弛んで伸びて地面を踏って力点となり、下半身と腰と腹が効果的に力を発揮し、さらにシートクッション２０をスムーズに回転させることができる。腰をねじる場合、前記偏心柱３０の前記直線ロッド部３１は前記台座１０の係合穴１１を円心として、前記シートクッション２０を前記台座１０の上方に円を描くように動作させ、前記シートクッション２０の結合穴２１にベアリングピース２２を介して前記偏心柱３０の別の前記直線ロッド部３１の接続セグメント３１１が接続され、シートクッション２０は偏心柱３０上に自ら回転できるため、シートクッション２０がねじられたときの斜め推力を効果的に低減し、ユーザがシートクッション２０上に容易に円を描くようにスイングし、上記の動作によって、ユーザが腰をねじったり腰を振ったりしてフィットネスの目的を達成する。
【００１３】
上記の具体的な実施例の構造によれば、以下の有益な効果が得られる。本考案の腰ねじりフィットネスのシートクッション２０は、普通の大人の膝の高さよりも少し高くなるように前記偏心柱３０によって支持され、より快適で人間工学に基づいた姿勢で乗ることができ、足を使って地面を踏んで力点となり、腰を振ったりねじったりするなどのフィットネス運動を行い、また、前記偏心柱３０は金属パイプを曲げ加工することによって一体的に成形され、組立による縫い目や溶接による構造上の欠点を回避できるだけでなく、構造全体の強度を大幅に向上させ、耐用年数を延ばし、実用性を高めることができる。
【００１４】
以上のように、本考案は、確かに画期的な構造設計を達成し、新しい内容を改善する同時に、産業利用および進歩を達成することができ、本考案はどの刊行物にも見られず、新規性があり、実用新案法の関連規定を満たしているため、法律に従って実用新案登録出願が行われ、審査委員会は法的実用新案権を付与するよう求められる。
上記は本考案の好ましい実施例に過ぎず、本考案の実施範囲を限定するものではなく、本考案の実用新案登録求の範囲に基づいてなされた同等の変更や修正はすべて、本考案の保護範囲に含まれるべきである。
【符号の説明】
【００１５】
（本考案）
１０      台座
１１      係合穴
１２      ベアリングピース
１３      カバー
１３１    軸貫通穴
２０      シートクッション
２１      結合穴
２２      ベアリングピース
２３      カバー
２３１    軸貫通穴
３０      偏心柱
３１      直線ロッド部
３１１    接続セグメント
３２      曲げ部
（従来）
４０      腰フィットネス機器
４１      台座
４１１    短いロッド
４１２    パイプコラム
４２      クランク
４２１    シャフトコラム
４２２    立設管
４３      シートクッション
４３１    挿通柱
【図１】
0003234157.tif 000003
【図２】
0003234157.tif 000004
【図３】
0003234157.tif 000005
【図４】
0003234157.tif 000006
【図５】
0003234157.tif 000007
【図６】
0003234157.tif 000008
【図７】
0003234157.tif 000009